(57)【要約】本発明は、建物のドア扉部（Ｔ）の上側及び下側を密閉するためのドアシール部（２，３，４）と、該ドアシール部が密閉位置にあるとき、該ドアシール部（２，３，４）の長手方向側面から該ドアシール部（２，３，４）の反対側の長手方向側面へと空気を循環させることができるエアダクト（８，８’，７０）とを備えるドアシールシステムに関する。前記ドアシールシステムは、前記エアダクト（８，８’，７０）を通って空気を導く少なくとも１つの換気装置（７）をも備える。前記発明のドアシールシステムは、ドアが閉じられているときでも十分な空気の交換を可能とする。【選択図】図４
2015520309.tif 000002
【特許請求の範囲】
【請求項１】
建物のドア扉部（Ｔ）の下側又は上側を密閉するためのドアシール部（２，３，４）を備え、且つ、前記ドアシール部の密閉位置において、前記ドアシール部（２，３，４）の一方の長手方向側面から、前記ドアシール部（２，３，４）の反対側の長手方向側面へと空気を循環させることができるエアダクト（８，８’，７０）を備えるドアシールシステムにおいて、前記エアダクト（８，８’，７０）を通して空気を導く少なくとも１つのファン（７）をさらに有することを特徴とする、ドアシールシステム。
【請求項２】
前記少なくとも１つのファン（７）が、モータ、好ましくは電気モータによって作動される、請求項１に記載のドアシールシステム。
【請求項３】
前記少なくとも１つのファン（７）が、ドアシール部（２，３，４）の領域であってドアシール部の上側に配置される、請求項１又は２に記載のドアシールシステム。
【請求項４】
前記少なくとも１つのファン（７）が、前記ドアシール部（２，３，４）上、又は、前記少なくとも１つのファン（７）及び前記ドアシール部（２，３，４）を収容する外側ハウジング（１）に固定される、請求項１〜３の１項に記載のドアシールシステム。
【請求項５】
前記少なくとも１つのファン（７）がクロスフローファンであり、前記ファンは、前記ドアシール部（２，３，４）の一方の長手方向側面から他方の長手方向側面へと空気を導くように構成される、請求項１〜４の１項に記載のドアシールシステム。
【請求項６】
前記ドアシール部（２，３，４）が、その長手方向に第１の端部と第２の端部を有し、前記ファン（７）が、前記端部の１つの領域に配置される、請求項５に記載のドアシールシステム。
【請求項７】
前記少なくとも１つのファン（７）が、前記ドアシール部（２，３，４）の長手方向延長部に対し横方向に空気を導く、少なくとも１つの軸流ファンである、請求項１〜４の１項に記載のドアシールシステム。
【請求項８】
複数の軸流ファン（７）が、前記ドアシール部（２，３，４）の長手方向延長部の方向に、互いに隣あって、且つ、前記ドアシール部（２，３，４）の長手方向延長部のほぼ全体にわたって分配されて配置される、請求項７に記載のドアシールシステム。
【請求項９】
前記ファン及び前記ドアシール部が互いに接続され、前記接続がほぼ気密である、請求項１〜８の１項に記載のドアシールシステム。
【請求項１０】
前記少なくとも１つのファン（７）と前記ドアシール部（２，３，４）が中に配置される外側ハウジング（１）を含む、請求項１〜９の１項に記載のドアシールシステム。
【請求項１１】
前記エアダクト（８，８’，７０）が、前記外側ハウジング（１）内の、前記ドアシール部（２，３，４）の外壁と前記外側ハウジング（１）の内壁の間に形成される、請求項１０に記載のドアシールシステム。
【請求項１２】
前記外側ハウジング（１）が、２つのリムと、この２つのリムを接続するウェブとを有し、前記少なくとも１つのファン（７）が前記ウェブに隣接して配置される、請求項１０又は１１に記載のドアシールシステム。
【請求項１３】
前記ドアシール部（２，３，４）が、両方の長手方向側面で前記外側ハウジング（１）から距離をおいて配置される、請求項１０〜１２の１項に記載のドアシールシステム。
【請求項１４】
前記ドアシール部（２，３，４）が、前記ドア扉部（Ｔ）が閉まると自動的に下降可能で、前記ドア扉部が開くと自動的に上昇可能なシール要素（４）を有する、請求項１〜１３の１項に記載のドアシールシステム。
【請求項１５】
ドア扉部（Ｔ）の溝（Ｎ）に配置するために、及び、前記ドア扉部（Ｔ）内又はドア扉部（Ｔ）に固定するために設計される、請求項１〜１４の１項に記載のドアシールシステム。
【発明の詳細な説明】
【技術分野】
【０００１】
本発明は、請求項１のプリアンブルに記載されるドアシールシステムに関する。
【背景技術】
【０００２】
ドアシールは、防音及び隙間風を防ぐことが望まれる領域で用いられる。これらは、また、遮光シールを提供することを目的とする。簡単なドアシールはいわゆるスライドシール（Ｓｃｈｌｅｉｆｄｉｃｈｔｕｎｇ）であり、そのシールリップ又はブラシが、ドア扉部の下側端面を越えて下方へと突出する。
【０００３】
さらに、下降可能なドアシールが公知であり、これは、通常実質的に、下方へ開いたＵ字のプロフィルレールの形をしたハウジングと、このハウジング内に保持されハウジングに対して移動可能でシール部材を備えたシールストリップと、シールストリップの上げ下げのための駆動機構とからなる。シールストリップは、通常、作動棒に長手方向に働いて機械的な下降機構を作動させる力によって、ドアが閉まると自動的に下がる。しかしながら、手で作動できる駆動機構を備えることもできる。この種のドアシールは、例えば特許文献１〜３から公知である。これらのドアシールは、有用であることが実証されている。特に、特許文献１のドアシールは、脚部がガイドレール上に滑走可能に載っている一体形のシールリップにより、特に効果的なシール能力を特徴とする。
【０００４】
しかしながら、これらのシールは、換気が制御された低エネルギー又はエネルギーゼロの家、特にＭｉｎｅｒｇｉｅ（登録商標）ハウスでは用いることができない。この種の建物は、壁中、床中又は天井中の換気グリルを介して部屋のいくつかへ空気を吹き込み、同じく壁中、天井中又は床中に配置される抜き出し開口部を介して他の部屋へ前記空気を抜き出す換気システムを有する。換気の目的は、外部から吸い込んだ新しい空気を、外へと流れ出る使用済みの空気を用いて温めることにより、部屋を暖めるのに必要なエネルギーを最小限とすることである。このとき、各部屋は、好ましくは、この換気システムに接続される空気供給及び取り出し開口部を有することができる。より費用効果のある変形では、空気を部屋の間で交換して、このためにドアや壁内には小さな換気グリルを配置する。あるいは、空気の交換を保証するために、ドアは完全に密閉して閉まらない。通常、下側のドア縁と床との間に、比較的大きな隙間が残される。しかしながら、その結果、1つの部屋から他の部屋への防音にはならないし、光もれが起こる。
【０００５】
従って、特許文献４には、シールリップ又はシールハウジング内に、圧力を均一にする開口部を設けることが提案されている。しかしながら、この均圧開口部は時折、部屋の適当な換気には不十分である。
【０００６】
特許文献５は、Ｍｉｎｅｒｇｉｅ（登録商標）ハウスで用いるためのドアシールシステムを開示する。シールハウジングを外側のレールに配置し、連続的なエアダクトがこれら２つのレールの間でドアの一方の面から他方の面へと延びる。エアダクトにはロックウール又はフェルトからなるインサートの形をした音減衰部材が配置される。この音減衰部材は、防音がある程度可能なように作られている。
【０００７】
特許文献６は、ドア扉部の第１の面からドア扉部の第２の面へ確実に空気が循環するエアダクトを備えたドアシールシステムを提案する。防音を高めるために、エアダクト内に吸音共鳴装置がある。この共鳴装置は、ドアシール自体により形成することができ、例えば、ガイドレール又はこのガイドレールを取り巻く外側レールにより形成することができる。
【０００８】
しかしながら、特に閉じられた部屋では、空気を新しくする必要性が高まり、それゆえ、隣室と空気を交換する必要性が高まる。これは、通常、壁の開口部に配置されるファンによって達成される。このファンは誰の目にも見え、部屋の美学に悪い影響を及ぼす恐れがある。壁の開口部を作らなければならないため、この種のファンの後からの取り付けは、比較的大きな構造上の変化を引き起こす。さらに、部屋に生み出される空気の流れは、うっとうしいと感じられることが多い。
【先行技術文献】
【特許文献】
【０００９】
【特許文献１】ＥＰ  ０  ３３８  ９７４
【特許文献２】ＤＥ  ２９９  １６  ０９０
【特許文献３】ＥＰ  ０  ５０９  ９６１
【特許文献４】ＥＰ  １  ４９８  ５６９
【特許文献５】ＥＰ  １  ９３６  ０９７
【特許文献６】ＷＯ２０１０／１４２０５３
【発明の概要】
【発明が解決しようとする課題】
【００１０】
従って、本発明の目的は、部屋の設計自由度に悪影響を及ぼさずに、部屋の空気の入れ替え（Ｌｕｆｔｅｒｎｅｕｅｒｕｎｇ）を高めることを可能にすることである。特に、現存の建物における空気の入れ替えを、大幅な構造上の変化なしに改善することを目的とする。
【課題を解決するための手段】
【００１１】
この目的は、特許請求項１の特徴を備えるドアシールシステムによって達成される。
【００１２】
本発明によるドアシールシステムは、建物のドア扉部の下側又は上側を密閉するためのドアシール部、及び、エアダクトを有し、該エアダクトは、前記ドアシール部の密閉位置において、前記ドア扉部の一方の面と前記ドアシール部の長手方向側面から、前記ドア扉部の反対側の面と前記ドアシール部の反対側の長手方向側面へと空気を循環させることができる。本発明によると、前記ドアシールシステムは、空気を前記エアダクトに導く少なくとも１つのファンを有する。
【００１３】
したがって、エアダクトはドアシール部の領域に配置され、好ましくはドアシール部の周りに延びる。さらに、ドアシールシステムは、部屋を換気するためのアクティブ部材を形成する。
【００１４】
ドアシールシステムに存在するエアダクトと、少なくとも１つのファンの組み合わせが、大幅な構造的な処置を取らずに、空気の交換を改善する。さらに、前記換気システムは、ドア扉部の下側又は上側領域に配置されるため、事実上目に見えない。ドア扉部全体をファンを含む前記シールシステムで置き換えて、又は現存するドア扉部に前記シールシステムを組み込んで、現存の建物を、簡単な方法で改修できる。循環する空気流は、好ましくは、ドアの全幅にわたって延び、それゆえ、ほとんど目立たない。本発明によるシステムは、中央換気のない建物に、効果的に用いることができる。しかしながら、前記システムを、中央家換気システムと組み合わせて用いることもできる。
【００１５】
前記少なくとも１つのファンは、好ましくはモータで作動され、好ましくは電気モータで作動される。
【００１６】
前記ファンは、家内電源又は電池を介して電力を供給することができる。
【００１７】
前記少なくとも１つのファンは、連続的に作動するようにもできるし、及び／又は、手動でスイッチを入れたり切ったりすることもできる。好ましい実施形態では、前記ファンは、ドア扉部が閉まるとスイッチがオンとなり、ドア扉部が開くとスイッチがオフとなる。スイッチのオンオフは、例えば、ドアが閉まると作動するスイッチを介して、又は、別の方法で閉じる電流回路によってなされる。スイッチのオンとオフはまた、ドアシール部の上げ下げによって行うこともできる。このスイッチのオンとオフがドアシール部の動きと連結される場合、ドアが閉まっていないときでも、例えば、この状態でドアシール部を手動又はモータを作動させて下げることが可能なことによって、スイッチのオンオフを作動させることができる。前記少なくとも１つのファンが、ドア扉部が閉まっている及び／又はシール部が下げられている場合にのみ作動される場合、エネルギー消費は最小となる。この場合ファンは必要なときにのみ使用されるため、耐用年数も長い。１つの実施形態では、ファンは、外部状況に応じてファンの操作を制御する電子制御手段に接続される。例えば、ＣＯ２センサ及び／又は比重計を設けて、閾値を超えるとファンのスイッチが入るようにしてもよい。好ましい実施形態では、この制御手段は、中央家制御手段であり、又は中央家制御手段に接続することができる。
【００１８】
前記少なくとも１つのファンは、ドア扉部上又は中に配置される。前記ファンは、好ましくは、ドアシール部の領域であってドアシール部の上側に配置される。これにより、エアダクトを最適に形成することができ、効果が高められる。さらに、本発明によるシステムは、これにより、コンパクトに且つスペースを節約して形成することができ、従って、ドア扉部の設計における創造的自由の制限を非常に小さいものとする。特に、ドア扉部は、これにより、ドアシール部とファンを、一見しただけでは見るものに見えないように形成することができる。
【００１９】
前記少なくとも１つのファンは、好ましくは、ドアシール部上に、又は前記少なくとも１つのファンとドアシール部を受け入れる外側ハウジングに固定される。これにより組み立てが容易になり、システム全体を受け入れるためには、ドア扉に溝が１つだけ必要である。ドアシールシステムは、好ましくは、ドア扉の溝に配置されるように、及び、前記ドア扉部内又はドア扉部に固定されるように設計される。このシステムは、さらに又は代わりに、ドア扉部の下側端面又は上側端面に固定されるように設計することができ、この際、前記システムは前記ドア扉部を越えて突き出る。ドア戸板の下側又は上側領域に側方に配置することも可能である。
本発明によるドアシールシステムにおいて、ファンとドアシール部は好ましくは互いに接続され、この接続はほぼ気密である。これにより効率が高まる。
【００２０】
好ましい実施形態では、少なくとも１つのファンは、コンパクト又は小型のファンである。好ましい実施形態では、前記少なくとも１つのファンは、ドアシール部の長手方向に空気を吹き出すクロスフローファンである。しかしながら、前記クロスフローファンは、ドアシール部の一方の長手方向側面から他方の長手方向側面へと空気を導くように構成される。これは、例えば、ファンのハウジング内に適当なフローダクトを形成することによって達成され得る。
【００２１】
１より多いクロスフローファンがあってもよい。しかしながら、クロスフローファンは１つだけ存在することが好ましい。ドアシール部は、好ましくは、その長手方向に第１及び第２の端部を有し、前記端部の１つの領域に、他方の端部の方向に空気を吹き出すように、ファンが配置される。反対側の端部に、第２のクロスフローファンを逆向きに配向して配置してもよい。
【００２２】
別の実施形態では、前記少なくとも１つのファンが、ドアシール部の長手方向延長部に対し横方向に空気を吹き出す少なくとも１つの軸流ファンである。好ましくは、ドアシール部の長手方向延長部の方向に、ドアシール部の長手方向延長部のほぼ全体にわたって分配されるように、複数の軸流ファンが互いに隣り合って配置される。
【００２３】
好ましい実施形態では、本ドアシールシステムは、前記少なくとも１つのファンと前記ドアシール部が中に配置された外側ハウジングを含む。外側ハウジングは、好ましくは、Ｕ形の断面を有し、密閉されるべきドア扉部の端面の方向へ開くように設計される。外側ハウジング内のエアダクトは、好ましくは、ドアシール部の外壁と外側ハウジングの内壁との間に形成される。
【００２４】
共通の外側ハウジングは必ずしも必要ではない。ファンとシール部は、ドア扉部に又はドア扉部内に、一緒に又は個々に取り付けることもでき、ファンが一方の側面から他方の側面へ、ドアシール部に沿って空気を導く。エアダクトは、例えば、ドアシール部とドア扉部の溝の間に形成することができる。
【００２５】
外側ハウジングがある場合、この外側ハウジングは、好ましくは、２つのリムと、この２つのリムを接続するウェブとを有し、前記少なくとも１つのファンがこのウェブに隣接して配置される。
【００２６】
最適なエアダクトを可能にするために、ドアシール部は、好ましくは、両方の長手方向側面で外側ハウジングから距離をおいて配置される。
【００２７】
ドアシール部は、シールリップ又はブラシを備えたスライドシールであってもよい。しかしながら、前記ドアシール部は、ドア扉部が閉まると自動的に下降でき、ドア扉部が開くと自動的に上昇できるシール要素を有することが好ましい。このシール要素は、磁気で、モータ作動で、又は誘導的に動かすことができる。しかしながら、機械的に、例えばバネ荷重式に動かせることが好ましい。好ましい実施形態は、片側に作動可能な作動ロッドを有する、最初に述べた下降機構である。
【００２８】
ドア扉部は、旋回可能なドア扉部、又はスライドドアの一部であってよい。
【００２９】
さらなる実施形態を従属請求項に明記する。
【図面の簡単な説明】
【００３０】
【図１】図１は、第１の実施形態における本発明のドアシールシステムの側面図であり、ドア扉部の溝に固定されている。
【図２ａ】図２ａは、溝と図１のドアシールシステムを備えたドア扉部の第１の斜視図である。
【図２ｂ】図２ｂは、溝と図１のドアシールシステムを備えたドア扉部の第２の斜視図である。
【図３】図３は、図１のドアシールシステムの側面図である。
【図４】図４は、図３のドアシールシステムのＡ−Ａに沿った断面図であり、クロスフローファンを中央に配置している。
【図５】図５は、図３のドアシールシステムの斜視図である。
【図６】図６は、外側ハウジングのない、図３のドアシールシステムの斜視図である。
【図７】図７は、第２の実施形態における、外側ハウジングのない本発明によるドアシールシステムの斜視図である。
【図８】図８は、第３の実施形態による、本発明のドアシールシステムの図であり、クロスフローファンを中央に配置していない。
【図９】図９は、図８のドアシールシステムの断面図である。
【図１０】図１０は、外側ハウジングのない、図８のドアシールシステムの斜視図である。
【図１１】図１１は、第４の実施形態による本発明のドアシールシステムを前方から見た図である。
【図１２】図１２は、図１１のドアシールシステムの側面図である。
【図１３】図１３は、図１１のドアシールシステムの正面図である。
【図１４】図１４は、軸流ファンを備え、外側ハウジングを持たない、図１１のドアシールシステムの斜視図である。
【図１５】図１５は、図１１のドアシールシステムのさらなる断面図である。
【発明を実施するための形態】
【００３１】
本発明の好ましい実施形態を、図を参照して以下に説明するが、これらは単に例示の目的のためのものであって、限定するものとして解釈されるべきではない。
【００３２】
図１〜６は、本発明によるドアシールシステムの第１の例示の実施形態を示したものである。
【００３３】
図１によると、前記ドアシールシステムは、ドア扉部Ｔの下縁にある溝Ｎに固定される。あるいは、ドアシールシステムは、上端縁に配置されてもよいし、ドア扉部Ｔの外側面に配置されてもよいし、ドア扉部Ｔの下側又は上側端面に配置されてもよい。
【００３４】
図２ａ及び２ｂに見られるように、Ｕ形の溝Ｎは、段状又はオフセット（ａｂｇｅｓｅｔｚｔ）の形をしている。溝Ｎの少なくとも１つの、好ましくは両方の側方端部で、溝は、中央領域より狭く及び深くないように設計される。しかしながら、溝Ｎは、その全長にわたって幅及び深さを一定とすることもできる。
【００３５】
ドアシールシステムは、公知の手段で、ドア扉部Ｔに又はドア扉部Ｔ内に固定される。特に、ドア扉部Ｔの端面に平行なリムを備えたキャップ形の、ドアシールシステムの部分の全てを受け入れる外側ハウジング１があってもよい。前記リムは、好ましくは、ドア扉部Ｔの端面上にねじ留めされる。この種の固定方法は、一様に形成される溝や、段状の溝にも好適である。
【００３６】
ここに示した実施形態では、図４に容易に分かるように、外側ハウジング１はＵ形の断面を有する。外側ハウジングは、溝Ｎに引っ込んだ状態で埋め込むことができ、又は、図１及び２に示すように、ドア扉部Ｔの下縁と一直線に並んで終端することができる。外側ハウジング１を突出させることも同様に可能であるが、実際にはあまり好ましくない。
【００３７】
外側ハウジング１は、ドアシール部のシールハウジング２を取り囲む。外側ハウジング１とシールハウジング２は、好ましくは、アルミ又はプラスチック製のプロファイルレールである。シールハウジング２は、好ましくは、同様に、ほぼＵ形の断面を有し、ウェブと、このウェブによって互いに接続され且つ互いに平行に延びる２つのリムを有する。
【００３８】
ドアシール部は、好ましくは、先行技術から公知の下降可能なシール部として形成される。この実施例では、シールハウジング２は、支持プロファイルレール３と、この支持プロファイルレール３に固定されるシール要素４と、下降機構（図示せず）とを含み、支持プロファイルレール３とシール要素４は、前記下降機構を介して、シールハウジング２に対し一緒に上げ下げできる。シール要素４は、ここでは一体的に形成され、この実施例では、シールハウジング２に当接する側方リム４０と、斜め下方に突出するように突き出し、シール部の全長にわたって延びるシールリップ４１を有する。しかしながら、シール要素４は、多部品構成であってもよく、及び／又は、異なる形状であってもよいし、支持プロファイルレール３、シールハウジング２又はシール部の他の位置に他の固定位置を有してもよい。下降機構は、好ましくは、リーフスプリングを有し、これは、シール部の長手方向に平行に延びる作動ロッドを介して作動できる。作動ロッドは、図３から分かるように、ドアシール部の片側で突出する作動つまみ５で終わる。ドア扉部Ｔが閉まると、それゆえに、作動つまみが押し込まれ、リーフスプリングへと力が伝わる。
【００３９】
他の種類の下降機構、及び他の種類のドアシール、特にスライドシールとブラシも、本発明による概念とともに、同様に実現することができる。
【００４０】
本実施例では、図３に見られるように、シールハウジング２は、外側ハウジング１に対し両側で突出する。これにより、本発明のシールシステムは、ドア扉部Ｔのオフセット溝Ｎに取り付けることができる。このために、取り付け用金具６があり、これは、シールハウジング２のウェブの下側で１つのリムによって係合し、第１のリムにほぼ垂直な第２のリムにより、ドア扉部Ｔの端面上にねじ留めされる。このことは、図１に容易に見ることができる。このように取り付けられたシールシステムは、外側からほとんど目に見えず、端面だけが認識できる。
【００４１】
シールハウジング２は、外側ハウジング１内に間隔をあけて配置され、その長手方向の側面の両方に中間スペース８，８’が生まれる。前記中間スペース８，８’は、エアダクトの一部を形成する。
【００４２】
本発明のドアシールシステムは、さらに、少なくとも１つの換気装置又はファン７を有する。ファン７は、図４及び６に見られるように、シールハウジング２のウェブの上側に配置される。ファン７は、好ましくは、シールハウジング２のウェブ上に固定され、例えば、ねじ留め、クランプ留め、又は、接着接合又は何らかの他の方法でその上にシールされる。
【００４３】
ファン７は、図５に見られるように、外側ハウジング１により囲まれる。ファン７は、付加的に又は代替的に、外側ハウジング１上に固定されてもよいし、外側ハウジング１内に固定されてもよい。
【００４４】
このファン７は、好ましくは、小型ファンとして設計されるため、できるだけ場所をとらないように設計され、少ないエネルギー消費で作動可能である。これは、電池式であってもよいし、又は、電源に接続されている、又は電源に接続可能であってもよい。例えばドアが閉まると、例えばドアフレーム内の接点を介して電源に接続されてもよい。例えば、ドアロックへのケーブル接点があってもよい。
【００４５】
ファン７は、シール部の一方の端部の領域に配置される。しかしながら、前記ファンを、好ましくは、シールハウジング２の端部から距離をおいて配置する。これにより、ドア扉部Ｔのオフセット溝Ｎへの配置が可能となる。この種のクロスフローファンを複数使用することもできる。特に、シールハウジング２の他方の端部の領域にクロスフローファンを同様に配置することもできる。しかしながら、少なくとも１つのファン７が、好ましくは、ドア扉部Ｔがドアフレーム内に、旋回可能に取り付けられる端部の領域、つまりヒンジ側の領域に配置される。
【００４６】
本実施形態では、ファン７は、クロスフローファンである。これは、シールハウジング２の長手方向に沿って空気を吹き出す。しかしながら、ファン７は、シールハウジング２の一方の長手方向側面上に吸気口７１を備え、シールハウジング２の反対側の長手方向側面上に排気口７２を備えるフローダクト７０を有する。これは、例えば、ここに示すように、ファンハウジングの適当な設計によって達成される。吸気口７１は、シールハウジング２の第１の長手方向側面上の第１の中間スペース８につながる。排気口７２は、シールハウジング２の第２の、反対側の長手方向側面上の第２の中間スペース８’につながる。これは、図４から容易に見てとれる。これにより、このファン７は、ドア扉部の一方の面から他方の面へ、従って、建物の１つの部屋から他の部屋へと空気を導く。従って、中間スペース８，８’とフローダクト７０がエアダクトを形成する。この配置によって、ドアが閉まっていても、ドアシール部が下げられていても、十分な空気の交換が部屋の間で行われ得ることを保証する。これは、特に中央換気システムにおいても可能である。
【００４７】
図７は、図１〜６による本発明のドアシールシステムの第１の変形を示す。シールハウジング２には、ここでは、穴が設けられ、吸音共鳴装置として働く。他の種類の共鳴装置、特に特許文献６に開示されるものを、本発明によるドアシールシステムに用いることも可能である。
【００４８】
図８〜１０は、本発明のドアシールシステムのさらなる例示の実施形態を示す。この場合も、クロスフローファン７が存在する。しかしながら、このクロスフローファンは、外側ハウジング１の中央には配置されておらず、従って、クロスフローファンの吸気口７１は、図１〜６による実施形態のように下方には向いておらず、外側ハウジング１の側壁の方へ横方向に向いている。クロスフローファンの排気口７２は、本実施例では下方に向いている。しかしながら、あるいは、吸気口７１を下方に向け、排気口７２を横方向に向けることも可能である。
【００４９】
さらなる実施形態（図示せず）では、吸気口及び排気口７１，７２は、側方で終わってもよい。このためには、外側ハウジング１が、単に、ファン７より幅広く設計されるだけでよい。この場合、ファン７は、エアダクトがシール部の一方の側面から他方の側面へと形成されさえすれば、外側ハウジング１の中央に配置されなくても、中央に配置されてもよい。
【００５０】
これらの実施形態の全てにおいて、シールハウジング２は、好ましくは、中央に配置される、すなわち、外側ハウジング２内にその長手方向中心軸に沿って配置される。しかしながら、前記シールハウジングは、中央に配置されなくてもよい。
【００５１】
さらに、共鳴装置の使用を含め、第１の例示の実施形態で述べた変形が、この実施形態においても可能である。
【００５２】
図１１〜１３による実施形態では、複数のラジアルファン７が、シールハウジング２の長さの少なくとも一部にわたって配置される。前記ラジアルファンもやはり、シールハウジング２に固定されることが好ましい。先の例示の実施形態による変形がこの場合も可能である。
【００５３】
ラジアルファン７は、シールハウジング２の全長にわたって、分配されて、好ましくは一様に分配されて配置することができる。しかしながら、これらを、一方の端部の領域に位置してもよい。好ましくは、ドアがドアフレームに旋回可能に保持される領域に位置する。
【００５４】
ラジアルファン７は、ドア扉部Ｔの一方の面から他方の面へ空気を導く。従って、この実施例では、フローダクトの特別な設計は必要でない。このことは、シールシステムを全体的により狭めた設計にできるという利点を有する。
【００５５】
図１５は、外側ハウジング１の２つの平行なリムの内側に固定される減衰要素９を示す。前記減衰要素は、好ましくは、リムの内側に接着接合される。減衰要素９は、音の減衰に役立つ。従って、消音機である。例えば、フェルトからなる単純な消音マットとして構成されてもよいし、ヘルムホルツ共鳴装置として構成されてもよい。好ましくは、これは、シールシステムのほぼ全長にわたって延びる。
【００５６】
本発明によるドアシールシステムは、ドアが閉まったときでも十分な空気の交換が可能である。
【符号の説明】
【００５７】
Ｔ        ドア扉部
Ｎ        溝
１        外側ハウジング
２        シールハウジング
２０      穴
３        支持プロファイルレール
４        シール要素
４０      側方リム
４１      シールリップ
５        作動つまみ
６        取り付け用金具
７        ファン
７０      フローダクト
７１      吸気口
７２      排気口
８，８’  中間スペース
９        減衰要素
【図１】
2015520309.tif 000003
【図２ａ】
2015520309.tif 000004
【図２ｂ】
2015520309.tif 000005
【図３】
2015520309.tif 000006
【図４】
2015520309.tif 000007
【図５】
2015520309.tif 000008
【図６】
2015520309.tif 000009
【図７】
2015520309.tif 000010
【図８】
2015520309.tif 000011
【図９】
2015520309.tif 000012
【図１０】
2015520309.tif 000013
【図１１】
2015520309.tif 000014
【図１２】
2015520309.tif 000015
【図１３】
2015520309.tif 000016
【図１４】
2015520309.tif 000017
【図１５】
2015520309.tif 000018
【国際調査報告】
2015520309.tif 000019
2015520309.tif 000020
2015520309.tif 000021
2015520309.tif 000022